(57)【要約】      （修正有）【課題】ルアー釣りに使用されるルアーにおいて、交換が容易でフックが物に引っかかることがないルアー用フックを提供する。【解決手段】フック１のアイに開閉する機能を持つスナップ２等を取り付け、ルアーに容易に取り外し自在とする。スナップは両端にリング状の形状を持っており、片側は開閉する機構を有している。ルアー用フック１のリング状のアイにスナップ２の開閉側と反対側のリングを通す。【選択図】図１
0003136045.tif 000002
【実用新案登録請求の範囲】
【請求項１】
リング状のアイにスナップの開閉側と反対側のリングを通したことを特徴とするルアー用フック。
【請求項２】
アイにスナップの開閉側と反対側を固定したことを特徴とするルアー用フック。
【請求項３】
アイにスプリットリングを固定したことを特徴とするルアー用フック。
【請求項４】
リング状のアイに引き輪ないし、かにカンの開閉側と反対側のリングを通したことを特徴とするルアー用フック。
【請求項５】
アイに引き輪ないし、かにカンの開閉側と反対側を固定したことを特徴とするルアー用フック。
【考案の詳細な説明】
【技術分野】
【０００１】本考案は、ルアー釣りに使用されるルアーにおける、フックに関するものである。
【背景技術】
【０００２】ルアー釣りに使用されるルアーはプラスティックや木材により、対象となる魚の餌に似せて形成されたルアー本体に、スプリットリングを用いてフックを連結しているものである。
【考案の開示】
【考案が解決しようとする課題】
【０００３】ルアー本体とフックの結合にスプリントリングを使用している。【０００４】ルアーのフック交換の際、ペンチによってスプリットリングを開き、フックを交換する。【０００５】釣り場でペンチを使用してフックを交換する時は、釣り竿を落とさないように保持しつつ、ルアーを手に持ち、もう一方の手でペンチを使用するといった大変不便なものである。【０００６】また、取り外したフックを落とさないように気を使わなければならない。【０００７】更に、交換するフックを取り付ける時にも、同様に注意を払わなければならない。【０００８】足場の悪い釣り場や、暗い夜釣り時にペンチを用いてフックを交換するのは大変困難である。【０００９】ルアー釣りの最中に、ルアーを障害物に不本意に引っ掛けてしまうことが多々ある。【００１０】この際、ルアーを回収できたとしても、障害物の材質により、フックの先端が曲がってしまったり、鋭さを欠いてしまうことがある。【００１１】フック先に異常が生じると、魚がルアーに食らえついたとしても、針掛りが極端に悪くなり、せっかくの魚を逃がしてしまうことになりかねない。【００１２】釣り場でのフック交換の煩わしさゆえに、ルアーを交換しなければならない。【００１３】その日、その釣り場での良く釣れるルアーであっても、フックの問題だけで他のルアーに交換するのは辛いものである。【００１４】ルアー釣りの対象魚の大きさや種類により、ルアーに対してフックが大きすぎたり、小さすぎたりすることがある。【００１５】多種多様なルアーの中で、同じ色形大きさのルアーを複数個を、フックの違いで所有するのは効率が悪い。【００１６】釣り場での移動時は、ルアーを釣り竿に取り付けた状態で歩き回ることになるが、剥き出しになったフックが木や障害物に引っかかりやすく危険である。【００１７】車での移動時においても、ルアーを釣り竿に取り付けたまま、車内に収納することが多い。【００１８】この時、車のシートや衣服に引っかかったり、人を傷つけてしまうこともある。【００１９】色や形のユニークさから、子供が好奇心により触って怪我をすることがある。【００２０】環境の問題により、ルアーを釣り場で紛失した際に、危険なフックを早く腐食させるために、現在フックの材質はほとんど鉄でできている。【００２１】ルアー本体の連結金具はステンレスで作られているものが多い。【００２２】この材質の違いにより、フック部はルアー本体の金具に比べてはるかに早く腐食し使い物にならなくなる。【００２３】特に、海でのルアー釣りにおいて、この差は著しいものになる。【００２４】よほど、几帳面な性格の持ち主で無い限り、現状のフックの管理は面倒なものである。【００２５】一度のルアー釣りに、多数のルアーを交換し使うのが普通である。【００２６】使用したルアー全てのフックを腐食から守るために、釣りの後で洗浄、乾燥等のメンテナンスをする必要がある。
【課題を解決するための手段】
【００２７】スナップは両端にリング状の形状を持っており、片側は開閉する機構を有している。【００２８】この課題を解決するための請求項１の考案は、ルアー用フックのリング状のアイにスナップの開閉側と反対側のリングを通す。【００２９】また、請求項２は、ルアー用フックのアイにスナップの開閉側と反対側を固定する。【００３０】また、請求項３は、ルアー用フックのアイにスプリットリングを固定する。【００３１】また、請求項４は、ルアー用フックのリング状のアイに引き輪ないし、かにカンの開閉側と反対側のリングを通す。【００３２】また、請求項５は、ルアー用フックのアイに引き輪ないし、かにカンの開閉側と反対側を固定する。
【考案の効果】
【００３３】本考案によると、請求項１のスナップを介したフックは、ペンチを用いることなく、指先で簡単に開閉することができる。【００３４】請求項１を使用の場合、フックを直接ルアー本体に取り付けることにより、従来のスプリットリングを使用すること無く、ルアー本体側とフック側の２箇所に可動軸を持ち、フックの動きが重要な対象魚によって使い分けることができる。【００３５】請求項２のスナップを固定したフックは、ペンチを用いることなく、指先で簡単に開閉することができる。【００３６】請求項２を使用の場合、フック本体の接合子であるスナップを固定していることにより、ルアー本体にフックを直接取り付けることや、スプリットリングを介して取り付けることもできる。【００３７】請求項３のスプリットリングを固定したフックは、ペンチを用いることなく、指先でフックを持ち、回転することにより、フックを取り外すことが出来る。【００３８】請求項４の引き輪や、かにカンを介したフックは、ペンチを用いることなく、指先で簡単に開閉することができる。【００３９】請求項４を使用の場合、フックを直接ルアー本体に取り付けることにより、従来のスプリットリングを使用すること無く、ルアー本体側とフック側の２箇所に可動軸を持ち、フックの動きが重要な対象魚によって使い分けることができる。【００４０】請求項５のスナップを固定したフックは、ペンチを用いることなく、指先で簡単に開閉することができる。【００４１】請求項５を使用の場合、フック本体に引き輪や、かにカンを固定していることにより、ルアー本体にフックを直接取り付けることや、スプリットリングを介して取り付けることもできる。【００４２】ペンチを用いずに、指先での開閉を可能にしたことにより、足場の悪い釣り場においても、フックの交換を容易にすることができる。【００４３】フックの損傷時においても、その場でフックだけを交換できることにより、その日の良く釣れるルアーを容易に継続して使用できる。【００４４】対象魚の大きさや種類により、同じルアーでも、フックの大きさにより、針掛りしにくいことがある。【００４５】大小数セットの本考案を施したフックを用意することにより、釣り場で容易にペンチを用いることなく、フックの大きさを換えることができる。【００４６】移動時において、ルアーの容易にフックだけをストレス無く取り外し、別に保管することにより、車のシートや服に引っかかることが無くなる。【００４７】不本意に人に危害を加えることも無くなる。【００４８】フックの取り外されたルアーは子供が触っても安全である。【００４９】たとえ、鉄製の腐食しやすいフックを海水で使用したとしても、フックだけ指先で取り外して、洗浄、乾燥等のメンテナンスを行えばよい便利なものである。【００５０】大小数セットの本発明を施したフックを用意するだけで、あらゆるルアーに連結、交換でき、多数のルアーを使用したとしても、メンテナンスが必要なフックは数セットで済むと言う大変利便性の高いものである。【００５１】更に、現在販売されているフックを交換できるタイプのルアーならば、本考案のフックを後からでも使用できる多大な汎用性を持っている。
【考案を実施するための最良の形態】
【００５２】請求項１は、ルアー用フックのリング状のアイにスナップの開閉側と反対側のリングを通す。【００５３】請求項２は、ルアー用フックのアイにスナップの開閉側と反対側を固定する。【００５４】請求項３は、フックのアイにスプリットリングを垂直に固定する。【００５５】請求項４は、請求項４は、ルアー用フックのリング状のアイに引き輪ないし、かにカンの開閉側と反対側のリングを通す。【００５６】請求項５は、ルアー用フックのアイに引き輪ないし、かにカンの開閉側と反対側を固定する。
【実施例１】
【００５７】本考案の実施例を図面に基づいて説明すると、図１において、１はフック、２はスナップ、３は固定されたスナップ、４はスプリットリング、５は引き輪、６は固定された引き輪。
【図面の簡単な説明】
【００５８】
【図１】本考案の請求項１を施した正面図。
【図２】請求項２を施した正面図。
【図３】請求項３を施した正面図。
【図４】請求項４を施した正面図。
【図５】請求項５を施した正面図。
【符号の説明】
【００５９】１：フック
２：スナップ
３：固定されたスナップ
４：スプリットリング
５：引き輪
６：固定された引き輪
【図１】
0003136045.tif 000003
【図２】
0003136045.tif 000004
【図３】
0003136045.tif 000005
【図４】
0003136045.tif 000006
【図５】
0003136045.tif 000007